(57)【要約】  本発明の一態様に係るユーザ端末は、時間長の短いショート上り制御チャネルと、当該ショート上り制御チャネルより時間長が長いロング上り制御チャネルと、を所定の期間内で多重するための設定情報を受信する受信部と、当該設定情報に基づいて、前記ショート上り制御チャネル及び前記ロング上り制御チャネルを前記所定の期間内で多重するか否かを判断する制御部と、を有することを特徴とする。本発明の一態様によれば、互いに異なる時間長を有する複数の上り制御チャネルを用いる場合であっても、上り制御情報を適切に通知できる。
2018173235.tif 000002
【特許請求の範囲】
【請求項１】
時間長の短いショート上り制御チャネルと、当該ショート上り制御チャネルより時間長が長いロング上り制御チャネルと、を所定の期間内で多重するための設定情報を受信する受信部と、
当該設定情報に基づいて、前記ショート上り制御チャネル及び前記ロング上り制御チャネルを前記所定の期間内で多重するか否かを判断する制御部と、を有することを特徴とするユーザ端末。
【請求項２】
前記所定の期間は、１スロットであることを特徴とする請求項１に記載のユーザ端末。
【請求項３】
前記制御部は、前記設定情報に基づいて、前記ショート上り制御チャネル及び前記ロング上り制御チャネルを前記所定の期間内で多重すると判断した場合、前記ショート上り制御チャネル及び前記ロング上り制御チャネルにおいて、それぞれ異なる上り制御情報のタイプに該当する上り制御情報を送信する制御を行うことを特徴とする請求項１又は請求項２に記載のユーザ端末。
【請求項４】
前記制御部は、前記設定情報に基づいて、前記ショート上り制御チャネル及び前記ロング上り制御チャネルを前記所定の期間内で時分割多重すると判断した場合、かつ、前記ショート上り制御チャネルのリソース及び前記ロング上り制御チャネルのリソースが重複する場合、いずれかの上り制御チャネルをドロップする又はいずれかの上りチャネルの重複するリソースをパンクチャすることを特徴とする請求項１から請求項３のいずれかに記載のユーザ端末。
【請求項５】
前記制御部は、前記設定情報に基づいて、前記ショート上り制御チャネル及び前記ロング上り制御チャネルを前記所定の期間内で多重しないと判断した場合、かつ、前記ショート上り制御チャネル及び前記ロング上り制御チャネルを前記所定の期間内で送信するように設定される場合、いずれかの上り制御チャネルをドロップすることを特徴とする請求項１から請求項４のいずれかに記載のユーザ端末。
【請求項６】
前記制御部は、前記設定情報に基づいて、前記ショート上り制御チャネル及び前記ロング上り制御チャネルを前記所定の期間内で多重しないと判断した場合、かつ、前記ショート上り制御チャネル及び前記ロング上り制御チャネルを前記所定の期間内で送信するように設定される場合、いずれかの上り制御チャネルをドロップすることを特徴とする請求項１から請求項４のいずれかに記載のユーザ端末。
【請求項７】
前記ショート上り制御チャネル及び前記ロング上り制御チャネルを前記所定の期間内で多重する能力の有無に関する能力情報を送信する送信部を有し、
前記設定情報は、前記能力情報に基づいて決定されることを特徴とする請求項１から請求項５のいずれかに記載のユーザ端末。
【請求項８】
ユーザ端末の無線通信方法であって、
時間長の短いショート上り制御チャネルと、当該ショート上り制御チャネルより時間長が長いロング上り制御チャネルと、を所定の期間内で多重するための設定情報を受信する工程と、
当該設定情報に基づいて、前記ショート上り制御チャネル及び前記ロング上り制御チャネルを前記所定の期間内で多重するか否かを判断する工程と、を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
既存のＬＴＥシステム（例えば、ＬＴＥ  Ｒｅｌ．８−１３）では、１ｍｓのサブフレーム（送信時間間隔（ＴＴＩ：Transmission  Time  Interval）などともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末（ＵＥ：User  Equipment）は、上り制御チャネル（例えば、ＰＵＣＣＨ（Physical  Uplink  Control  Channel））及び／又は上りデータチャネル（例えば、ＰＵＳＣＨ（Physical  Uplink  Shared  Channel））を用いて、上り制御情報（ＵＣＩ：Uplink  Control  Information）を送信する。当該上り制御チャネルの構成（フォーマット）は、ＰＵＣＣＨフォーマットなどとも呼ばれる。【０００５】
ＵＣＩは、スケジューリング要求（ＳＲ：Scheduling  Request）、ＤＬデータ（ＤＬデータチャネル（ＰＤＳＣＨ：Physical  Downlink  Shared  Channel））に対する再送制御情報（ＨＡＲＱ−ＡＣＫ（Hybrid  Automatic  Repeat  reQuest-Acknowledge）、ＡＣＫ／ＮＡＣＫ（Negative  ACK）などとも呼ばれる）、チャネル状態情報（ＣＳＩ：Channel  State  Information）の少なくとも一つを含む。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、５Ｇ、ＮＲ）は、様々な無線通信サービスを、それぞれ異なる要求条件（例えば、超高速、大容量、超低遅延など）を満たすように実現することが期待されている。【０００８】
例えば、ＮＲでは、高速大容量通信をサポートするｅＭＢＢ（enhanced  Mobile  Broad  Band）、大量の端末をサポートするｍＭＴＣ（massive  Machine  Type  Communication）、超高信頼低遅延通信をサポートするＵＲＬＬＣ（Ultra  Reliable  and  Low  Latency  Communications）などと呼ばれる無線通信サービスの提供が検討されている。【０００９】
ところで、ＮＲでは、互いに異なる時間長（例えば、シンボル数）を有する複数のＰＵＣＣＨを用いることが検討されている。しかしながら、１スロット内において、同じＵＥがこれらの両方のＰＵＣＣＨを多重することは、これまで検討されていない。このような構成により、ＮＲにおけるスケジューリングの柔軟性を高めることができると期待される。また、このような構成について利用できないとすると、通信スループット、周波数利用効率などの劣化が生じるおそれがある。【００１０】
本発明はかかる点に鑑みてなされたものであり、互いに異なる時間長を有する複数の上り制御チャネルを用いる場合であっても、上り制御情報を適切に通知できるユーザ端末及び無線通信方法を提供することを目的の１つとする。
【課題を解決するための手段】
【００１１】
本発明の一態様に係るユーザ端末は、時間長の短いショート上り制御チャネルと、当該ショート上り制御チャネルより時間長が長いロング上り制御チャネルと、を所定の期間内で多重するための設定情報を受信する受信部と、当該設定情報に基づいて、前記ショート上り制御チャネル及び前記ロング上り制御チャネルを前記所定の期間内で多重するか否かを判断する制御部と、を有することを特徴とする。
【発明の効果】
【００１２】
本発明によれば、互いに異なる時間長を有する複数の上り制御チャネルを用いる場合であっても、上り制御情報を適切に通知できる。
【図面の簡単な説明】
【００１３】
【図１】図１Ａ−１Ｃは、ＮＲスロットのリソースマッピングの一例を示す図である。
【図２】図２Ａ−２Ｃは、それぞれ異なるＵＥに対するロングＰＵＣＣＨ及びショートＰＵＣＣＨをＴＤＭ及び／又はＦＤＭする場合のリソースマッピングの一例を示す図である。
【図３】図３Ａ−３Ｃは、ロングＰＵＣＣＨ及びショートＰＵＣＣＨをＴＤＭする場合のリソースマッピングの一例を示す図である。
【図４】図４Ａ−４Ｃは、ロングＰＵＣＣＨ及びショートＰＵＣＣＨをＴＤＭする場合のリソースマッピングの別の一例を示す図である。
【図５】図５Ａ−５Ｃは、同一スロットにおいて、ロングＰＵＣＣＨ及びショートＰＵＣＣＨの送信タイミングが時間的に重複する場合のリソースマッピングの一例を示す図である。
【図６】図６Ａ及び６Ｂは、ロングＰＵＣＣＨ及びショートＰＵＣＣＨをＴＤＭ及びＦＤＭする場合のリソースマッピングの一例を示す図である。
【図７】図７は、本発明の一実施形態に係る無線通信システムの概略構成の一例を示す図である。
【図８】図８は、本発明の一実施形態に係る無線基地局の全体構成の一例を示す図である。
【図９】図９は、本発明の一実施形態に係る無線基地局の機能構成の一例を示す図である。
【図１０】図１０は、本発明の一実施形態に係るユーザ端末の全体構成の一例を示す図である。
【図１１】図１１は、本発明の一実施形態に係るユーザ端末の機能構成の一例を示す図である。
【図１２】図１２は、本発明の一実施形態に係る無線基地局及びユーザ端末のハードウェア構成の一例を示す図である。
【発明を実施するための形態】
【００１４】
将来の無線通信システム（例えば、ＬＴＥ  Ｒｅｌ．１４、１５以降、５Ｇ、ＮＲなど。以下、ＮＲともいう）では、単一のニューメロロジーではなく、複数のニューメロロジーを導入することが検討されている。
【００１５】
ここで、ニューメロロジーとは、あるＲＡＴ（Radio  Access  Technology）における信号のデザイン、ＲＡＴのデザインなどを特徴付ける通信パラメータのセットを意味してもよく、サブキャリア間隔（ＳＣＳ：SubCarrier-Spacing）、シンボル長、サイクリックプレフィックス長、サブフレーム長、送信時間間隔（ＴＴＩ：Transmission  Time  Interval）長などの、周波数方向及び／又は時間方向に関するパラメータであってもよい。例えば、ＮＲでは、１５ｋＨｚ、３０ｋＨｚ、６０ｋＨｚ、１２０ｋＨｚ、２４０ｋＨｚなどの複数のＳＣＳがサポートされてもよい。
【００１６】
また、ＮＲでは、複数のニューメロロジーのサポートなどに伴い、既存のＬＴＥシステム（ＬＴＥ  Ｒｅｌ．１３以前）と同一及び／又は異なる時間単位（例えば、サブフレーム、スロット、ミニスロット、サブスロット、ＴＴＩ、ショートＴＴＩ、無線フレームなどともいう）を導入することが検討されている。
【００１７】
なお、ＴＴＩとは、送受信データのトランスポートブロック、コードブロック、及び／又はコードワードなどを送受信する時間単位のことを表してもよい。ＴＴＩが与えられたとき、実際にデータのトランスポートブロック、コードブロック、及び／又はコードワードがマッピングされる時間区間（シンボル数）は、当該ＴＴＩよりも短くてもよい。
【００１８】
例えば、ＴＴＩが所定数のシンボル（例えば、１４シンボル）で構成される場合、送受信データのトランスポートブロック、コードブロック、及び／又はコードワード、などは、その中の１から所定数のシンボル区間で送受信されるものとすることができる。送受信データのトランスポートブロック、コードブロック、及び／又はコードワードを送受信するシンボル数がＴＴＩを構成するシンボル数よりも小さい場合、ＴＴＩ内でデータをマッピングしないシンボルには、参照信号、制御信号などをマッピングすることができる。
【００１９】
サブフレームは、ユーザ端末（例えば、ＵＥ：User  Equipment）が利用する（及び／又は設定された）ニューメロロジーに関係なく、所定の時間長（例えば、１ｍｓ）を有する時間単位としてもよい。
【００２０】
一方、スロットは、ＵＥが利用するニューメロロジーに基づく時間単位であってもよい。例えば、ＳＣＳが１５ｋＨｚ又は３０ｋＨｚである場合、１スロットあたりのシンボル数は、７又は１４シンボルであってもよい。サブキャリア間隔が６０ｋＨｚ以上の場合、１スロットあたりのシンボル数は、１４シンボルであってもよい。また、スロットには、複数のミニ（サブ）スロットが含まれてもよい。
【００２１】
一般に、ＳＣＳとシンボル長とは逆数の関係にある。このため、スロット（又はミニ（サブ）スロット）あたりのシンボル数が同一であれば、ＳＣＳが高く（広く）なるほどスロット長は短くなるし、ＳＣＳが低く（狭く）なるほどスロット長が長くなる。なお、「ＳＣＳが高い」は、「ＳＣＳが広い」と言い換えられてもよく、「ＳＣＳが低い」は、「ＳＣＳが狭い」と言い換えられてもよい。
【００２２】
ＮＲでは、既存のＬＴＥシステム（例えば、ＬＴＥ  Ｒｅｌ．８−１３）のＰＵＣＣＨ（Physical  Uplink  Control  Channel）フォーマットよりも短い期間（short  duration）で構成されるＵＬ制御チャネル（以下、ショートＰＵＣＣＨ（short  PUCCH、shortened  PUCCH）ともいう）、及び／又は、当該短い期間よりも長い期間（long  duration）で構成されるＵＬ制御チャネル（以下、ロングＰＵＣＣＨ（long  PUCCH）ともいう）をサポートすることが検討されている。
【００２３】
ショートＰＵＣＣＨは、短期間ＰＵＣＣＨ（PUCCH  in  short  duration）と呼ばれてもよく、ロングＰＵＣＣＨは、長期間ＰＵＣＣＨ（PUCCH  in  long  duration）と呼ばれてもよい。あるいは、ショートＰＵＣＣＨはＰＵＣＣＨフォーマット１、ＰＵＣＣＨ構成１、ＰＵＣＣＨモード１などと呼ばれてもよく、ロングＰＵＣＣＨはＰＵＣＣＨフォーマット２、ＰＵＣＣＨ構成２、ＰＵＣＣＨモード２、などと呼ばれてもよい。なお、１と２は逆であってもよい。
【００２４】
ショートＰＵＣＣＨは、あるＳＣＳにおける所定数のシンボル（例えば、１又は２シンボル）で構成される。当該ショートＰＵＣＣＨでは、上り制御情報（ＵＣＩ：Uplink  Control  Information）と参照信号（ＲＳ：Reference  Signal）とが時分割多重（ＴＤＭ：Time  Division  Multiplexing）されてもよいし、周波数分割多重（ＦＤＭ：Frequency  Division  Multiplexing）されてもよい。ＲＳは、例えば、ＵＣＩの復調に用いられる復調用参照信号（ＤＭＲＳ：DeModulation  Reference  Signal）であってもよい。
【００２５】
ショートＰＵＣＣＨの各シンボルのＳＣＳは、データチャネル用のシンボル（以下、データシンボルともいう）のＳＣＳと同一であってもよいし、より高くてもよい。データチャネルは、例えば、下りデータチャネル（ＰＤＳＣＨ：Physical  Downlink  Shared  Channel）、上りデータチャネル（ＰＵＳＣＨ：Physical  Uplink  Shared  Channel）などであってもよい。
【００２６】
ショートＰＵＣＣＨは、より高い（大きい、広い）ＳＣＳ（例えば、６０ｋＨｚ）のＰＵＣＣＨと呼ばれてもよい。なお、１つのショートＰＵＣＣＨが送信される時間単位は、ショートＴＴＩと呼ばれてもよい。
【００２７】
ショートＰＵＣＣＨでは、マルチキャリア波形（例えば、サイクリックプレフィックスＯＦＤＭ（ＣＰ−ＯＦＤＭ：Cyclic  Prefix  Orthogonal  Frequency  Division  Multiplexing）ベースの波形）が用いられてもよいし、シングルキャリア波形（例えば、ＤＦＴ拡散ＯＦＤＭ（ＤＦＴ−Ｓ−ＯＦＤＭ：Discrete  Fourier  Transform  Spread  Orthogonal  Frequency  Division  Multiplexing）ベースの波形）が用いられてもよい。
【００２８】
なお、波形は、伝送方式、多重方式、変調方式、アクセス方式、波形方式などと呼ばれてもよい。また、波形は、ＯＦＤＭ波形に対するＤＦＴプリコーディング（スプレッディング）の適用有無で特徴付けられてもよい。例えば、ＣＰ−ＯＦＤＭはＤＦＴプリコーディングを適用しない波形（信号）と呼ばれてもよいし、ＤＦＴ−Ｓ−ＯＦＤＭはＤＦＴプリコーディングを適用する波形（信号）と呼ばれてもよい。また、「波形」は「波形の信号」、「波形に従う信号」、「信号の波形」、「信号」などで読み替えられてもよい。
【００２９】
一方、ロングＰＵＣＣＨは、ショートＰＵＣＣＨよりもカバレッジを向上させる及び／又はより多くのＵＣＩを伝送するために、スロット内の複数シンボルに渡って配置される。ロングＰＵＣＣＨがサポートする複数シンボルの候補が規定又は設定されてもよい。例えば、ロングＰＵＣＣＨがサポートする複数シンボルは所定のシンボル数（例えば、４シンボル）以上のシンボルであってもよい。当該ロングＰＵＣＣＨでは、ＵＣＩとＲＳ（例えば、ＤＭＲＳ）とがＴＤＭされてもよいし、ＦＤＭされてもよい。
【００３０】
ロングＰＵＣＣＨは、より低い（小さい、狭い）ＳＣＳ（例えば、１５ｋＨｚ）のＰＵＣＣＨと呼ばれてもよい。なお、１つのロングＰＵＣＣＨが送信される時間単位は、ロングＴＴＩと呼ばれてもよい。
【００３１】
ロングＰＵＣＣＨは、ショートＰＵＣＣＨと等しい数の周波数リソースで構成されてもよいし、電力増幅（power  boosting）効果を得るため、ショートＰＵＣＣＨよりも少ない数の周波数リソース（例えば、１又は２つの物理リソースブロック（ＰＲＢ：Physical  Resource  Block））で構成されてもよい。また、ロングＰＵＣＣＨは、ショートＰＵＣＣＨと同一のスロット内に配置されてもよい。
【００３２】
ロングＰＵＣＣＨでは、シングルキャリア波形（例えば、ＤＦＴ−ｓ−ＯＦＤＭ波形）が用いられてもよいし、マルチキャリア波形（例えば、ＯＦＤＭ波形）が用いられてもよい。また、ロングＰＵＣＣＨには、スロット内の所定期間（例えば、ミニ（サブ）スロット）ごとに周波数ホッピングが適用されてもよい。
【００３３】
なお、ロングＰＵＣＣＨは、既存のＬＴＥシステム（例えば、ＬＴＥ  Ｒｅｌ．８−１３）で規定されるＰＵＣＣＨと異なるＰＵＣＣＨ（異なるフォーマットのＰＵＣＣＨ）であってもよい。
【００３４】
以下、単なる「ＰＵＣＣＨ」という表記は、「ショートＰＵＣＣＨ及び／又はロングＰＵＣＣＨ」と読み替えられてもよい。
【００３５】
ＰＵＣＣＨは、スロット内でＵＬデータチャネル（以下、ＰＵＳＣＨともいう）とＴＤＭ及び／又はＦＤＭされてもよい。また、ＰＵＣＣＨは、スロット内でＤＬデータチャネル（以下、ＰＤＳＣＨともいう）及び／又はＤＬ制御チャネル（以下、ＰＤＣＣＨ（Physical  Downlink  Control  Channel）ともいう）とＴＤＭ及び／又はＦＤＭされてもよい。
【００３６】
ＰＵＣＣＨを用いて、ＤＬデータに対する再送制御情報（ＨＡＲＱ−ＡＣＫ、ＡＣＫ／ＮＡＣＫ、Ａ／Ｎなどともいう）、スケジューリングリクエスト（ＳＲ：Scheduling  Request）、ＣＳＩ（例えば、周期的ＣＳＩ（Ｐ−ＣＳＩ：Periodic  CSI）、非周期的ＣＳＩ（Ａ−ＣＳＩ：Aperiodic  CSI））、ビーム識別情報、バッファステータスレポート（ＢＳＲ：Buffer  Status  Report）、パワーヘッドルームレポート（ＰＨＲ：Power  Headroom  Report）及びその他の制御情報の少なくとも１つを含むＵＣＩが送信される。
【００３７】
なお、ビーム識別情報は、ビームインデックス（ＢＩ：Beam  Index）、プリコーディング行列指標（ＰＭＩ：Precoding  Matrix  Indicator）、ＴＰＭＩ（Transmitted  PMI）、所定の参照信号のポートインデックス（例えば、ＤＭＲＳポートインデックス（ＤＰＩ：DMRS  Port  Index）、ＳＲＳポートインデックス（ＳＰＩ：SRS  Port  Index））、所定の参照信号のリソース指標（例えば、ＣＳＩ−ＲＳリソース指標（ＣＲＩ：CSI-RS  Resource  Indicator）、ＤＭＲＳリソースインデックス（ＤＲＩ：DMRS  Resource  Index）、ＳＲＳリソースインデックス（ＳＲＩ：SRS  Resource  Index））などで特定されてもよい。
【００３８】
図１Ａ−１Ｃは、ＮＲスロットのリソースマッピングの一例を示す図である。ＮＲでは、データが送信される期間をＵＬ期間と定義し、少ないシンボル数でＵＬ送信を行える期間をショートＵＬ期間と定義することが検討されている。なお、ＵＬ期間はロングＵＬ期間と呼ばれてもよい。また、「期間」は、「領域」、「リソース」、「シンボル」などで読み替えられてもよい。また、ＮＲスロット（ＮＲサブフレーム）の構成は図１Ａ−１Ｃに示す例に限られない。例えば、各領域の順番は図に示す順番に限られない。
【００３９】
図１Ａでは、ＮＲスロット先頭から、ＰＤＣＣＨ領域、ＰＤＳＣＨ領域、無送信期間（ガード期間（ＧＰ：Guard  Period）ともいう）、そしてショートＰＵＣＣＨを含むショートＵＬ領域の順でスロットが構成されている。このようにＤＬ通信を行うシンボルがＵＬ通信を行うシンボルよりも多く含まれるスロットは、ＤＬセントリックスロットと呼ばれてもよい。
【００４０】
図１Ｂでは、ＮＲスロット先頭から、ＰＤＣＣＨ領域、ガード期間、ロングＰＵＣＣＨ及びＰＵＳＣＨを含むＵＬ領域、そしてショートＰＵＣＣＨを含むショートＵＬ領域の順でスロットが構成されている。このようにＵＬ通信を行うシンボルがＤＬ通信を行うシンボルよりも多く含まれるスロットは、ＵＬセントリックスロットと呼ばれてもよい。
【００４１】
図１Ｃでは、ＮＲスロット先頭から、ロングＰＵＣＣＨ及びＰＵＳＣＨを含むＵＬ領域、そしてショートＰＵＣＣＨを含むショートＵＬ領域の順でスロットが構成されている。このようにＤＬ通信を行うシンボルよりがない（又はＵＬ通信を行うシンボルのみが含まれる）スロットは、ＵＬオンリースロットと呼ばれてもよい。なお、ＵＬオンリースロットには、ガード期間が含まれてもよい。
【００４２】
ところで、ＮＲにおいては、１スロット内に、それぞれ異なるＵＥに対するショートＰＵＣＣＨ及びロングＰＵＣＣＨを、ＴＤＭ及び／又はＦＤＭすることをサポートすることが検討されている。
【００４３】
また、ＵＲＬＬＣにおいては、低遅延を実現するために、ＳＲ送信のためのリソースを１スロットより短い時間間隔で設定することが検討されている。
【００４４】
図２Ａ−２Ｃは、それぞれ異なるＵＥに対するロングＰＵＣＣＨ及びショートＰＵＣＣＨをＴＤＭ及び／又はＦＤＭする場合のリソースマッピングの一例を示す図である。図２Ａ及び２Ｃは、それぞれＤＬセントリックスロットの例を示す。
【００４５】
図２Ａでは、ショートＰＵＣＣＨは、ロングＰＵＣＣＨ及びＰＵＳＣＨとＴＤＭされている。図２Ｂでは、ショートＰＵＣＣＨは、ロングＰＵＣＣＨとＴＤＭされ、ＰＵＳＣＨとＴＤＭ及びＦＤＭされている。図２Ｃでは、ショートＰＵＣＣＨは、ロングＰＵＣＣＨとＴＤＭ及びＦＤＭされ、ＰＵＳＣＨとＴＤＭされている。
【００４６】
しかしながら、１スロット内に、同じＵＥに対する（同じＵＥ用の）ショートＰＵＣＣＨ及びロングＰＵＣＣＨを多重することは、これまで検討されていない。このような構成により、ＮＲにおけるスケジューリングの柔軟性を高めることができると期待される。また、このような構成について利用できないとすると、通信スループット、周波数利用効率などの劣化が生じるおそれがある。
【００４７】
そこで、本発明者らは、１スロット内に、同じＵＥに対するショートＰＵＣＣＨ及びロングＰＵＣＣＨを多重するための方法を検討し、本発明に至った。また、１スロット内に、同じＵＥに対するショートＰＵＣＣＨ及びロングＰＵＣＣＨを多重する場合に、両ＰＵＣＣＨの使い分け（信号の割り当てなど）を適切に行う方法についても見出した。
【００４８】
以下、本発明に係る実施形態について、図面を参照して詳細に説明する。各実施形態に係る無線通信方法は、それぞれ単独で適用されてもよいし、組み合わせて適用されてもよい。
【００４９】
（無線通信方法）
＜第１の実施形態＞
第１の実施形態は、ＵＥが、同一スロットにおけるロングＰＵＣＣＨ及びショートＰＵＣＣＨの多重を設定された場合に関する。
【００５０】
ＵＥは、同一スロットにおいて、ロングＰＵＣＣＨ及びショートＰＵＣＣＨで、それぞれ異なるＵＣＩタイプに対応するＵＣＩを送信してもよいし、同じＵＣＩタイプに対応するＵＣＩを送信してもよい。
【００５１】
ここで、ＵＣＩタイプは、ＵＣＩの内容（どのＵＣＩが送信されるか）を示す情報を含んでもよい。例えば、ＵＣＩタイプは、ＵＣＩが、ＨＡＲＱ−ＡＣＫ、ＳＲ、ＣＳＩ、Ｐ−ＣＳＩ、Ａ−ＣＳＩ、ビーム識別情報、ＢＳＲ、ＰＨＲ及びその他の制御情報のうち、特定の１つ又は複数を含むことを示す情報であってもよい。
【００５２】
また、ＵＣＩタイプは、ＵＣＩに求められる性能及び／又は品質に関する情報を含んでもよい。例えば、ＵＣＩタイプは、遅延（低遅延など）、信頼性（高信頼性など）、スループット（高スループットなど）のいずれか又はこれらの組み合わせを示してもよい。また、ＵＣＩタイプは、ＮＲのサービスタイプに関する情報を含んでもよく、例えば、ＵＣＩがｅＭＢＢ、ＵＲＬＬＣ、ｍＭＴＣの少なくとも１つ向けのＵＣＩであることを示す情報を含んでもよい。
【００５３】
例えば、ＵＥは、同じスロットにおいて、ロングＰＵＣＣＨを用いて１つ又は複数のＰ−ＣＳＩを送信し、ショートＰＵＣＣＨを用いて１つ又は複数のＨＡＲＱ−ＡＣＫを送信してもよい。この場合、ペイロードが比較的大きいＣＳＩ報告はリソース容量の大きいロングＰＵＣＣＨで送信し、ペイロードが比較的小さいＨＡＲＱ−ＡＣＫはショートＰＵＣＣＨで送信できるので、両者の品質のバランスを確保することができる。
【００５４】
ここで、ＳＲがある場合には、当該ＳＲはロングＰＵＣＣＨのＰ−ＣＳＩと多重されてもよいし、ショートＰＵＣＣＨのＨＡＲＱ−ＡＣＫと多重されてもよい。なお、ロングＰＵＣＣＨ及びショートＰＵＣＣＨの両方を用いて、それぞれ異なるトラフィック向けの異なるリソースを要求する別々のＳＲが送信されてもよい。
【００５５】
また、ＵＥは、同じスロットにおいて、ロングＰＵＣＣＨを用いて特定のタイプのＤＬデータに対応するＨＡＲＱ−ＡＣＫを送信し、ショートＰＵＣＣＨを用いて別のタイプのＤＬデータに対応するＨＡＲＱ−ＡＣＫを送信してもよい。例えば、ロングＰＵＣＣＨは高信頼な（例えば、ＵＲＬＬＣ向けの）ＤＬデータに対するＨＡＲＱ−ＡＣＫに用いられてもよく、ショートＰＵＣＣＨは低遅延な（例えば、ｅＭＢＢ向けの）ＤＬデータに対するＨＡＲＱ−ＡＣＫに用いられてもよい。この場合、品質を確保しやすいロングＰＵＣＣＨで高信頼性が要求されるＵＣＩをフィードバックし、低遅延が望まれるＵＣＩにはショートＰＵＣＣＨを適用することで、遅延を低減することができる。
【００５６】
なお、ロングＰＵＣＣＨとショートＰＵＣＣＨの両方でＨＡＲＱ−ＡＣＫを送信する場合、両者のＨＡＲＱ−ＡＣＫは、異なるスロット、ミニスロット、コンポーネントキャリア及び／又はセルで送受信されたデータに対するＨＡＲＱ−ＡＣＫであってもよい。
【００５７】
例えば、第ｎスロットでロングＰＵＣＣＨとショートＰＵＣＣＨを送信する場合、第ｎ−ｋ−１スロットまでのデータに対するＨＡＲＱ−ＡＣＫはロングＰＵＣＣＨで送信し、第ｎ−ｋスロットのデータに対するＨＡＲＱ−ＡＣＫはショートＰＵＣＣＨで送信することができる。この場合、処理時間が不足して第ｎ−ｋスロットのデータに対するＨＡＲＱ−ＡＣＫをロングＰＵＣＣＨで送信できない場合であっても、ショートＰＵＣＣＨは送信開始までの処理時間を大きくとれることから、データを復号し、適切にＨＡＲＱ−ＡＣＫを生成することができる。
【００５８】
あるいは、第ｍコンポーネントキャリアでロングＰＵＣＣＨとショートＰＵＣＣＨを送信する場合、第ｍコンポーネントキャリア以外のデータに対するＨＡＲＱ−ＡＣＫはロングＰＵＣＣＨで送信し、第ｍコンポーネントキャリアのデータに対するＨＡＲＱ−ＡＣＫはショートＰＵＣＣＨで送信することができる。この場合も、第ｍコンポーネントキャリアのデータに対するＨＡＲＱ−ＡＣＫとそれ以外のコンポーネントキャリアのデータに対するＨＡＲＱ−ＡＣＫを異なる処理時間で生成できることから、特定のコンポーネントキャリアにおいて、より低遅延なＨＡＲＱ−ＡＣＫ生成を実現することができる。
【００５９】
また、ＳＲがある場合には、当該ＳＲはロングＰＵＣＣＨのＨＡＲＱ−ＡＣＫと多重されてもよいし、ショートＰＵＣＣＨのＨＡＲＱ−ＡＣＫと多重されてもよい。なお、ロングＰＵＣＣＨ及びショートＰＵＣＣＨの両方を用いて、それぞれ異なるトラフィック向けの異なるリソースを要求する別々のＳＲが送信されてもよい。
【００６０】
ＵＥは、ロングＰＵＣＣＨ及び／又はショートＰＵＣＣＨで送信可能なＵＣＩタイプに関する情報に基づいて、ロングＰＵＣＣＨ及び／又はショートＰＵＣＣＨで送信するＵＣＩを判断してもよい。
【００６１】
ロングＰＵＣＣＨ及び／又はショートＰＵＣＣＨで送信可能なＵＣＩタイプに関する情報は、上位レイヤシグナリング（例えば、ＲＲＣ（Radio  Resource  Control）シグナリング、ＭＡＣ（Medium  Access  Control）シグナリング（例えば、ＭＡＣ制御要素（ＭＡＣ  ＣＥ（Control  Element））、ブロードキャスト情報など）、物理レイヤシグナリング（例えば、下り制御情報（ＤＣＩ：Downlink  Control  Information））又はこれらの組み合わせを用いて、基地局（ＢＳ（Base  Station）、送受信ポイント（ＴＲＰ：Transmission/Reception  Point）、ｅＮＢ（eNode  B）、ｇＮＢなどと呼ばれてもよい）からＵＥに通知（設定）されてもよい。
【００６２】
また、ＵＥは、ロングＰＵＣＣＨ及び／又はショートＰＵＣＣＨの時間及び／又は周波数リソースに関する情報に基づいて、ロングＰＵＣＣＨ及び／又はショートＰＵＣＣＨを送信する（と設定された）リソースを判断できる。
【００６３】
ロングＰＵＣＣＨ及び／又はショートＰＵＣＣＨの時間及び／又は周波数リソースに関する情報は、上位レイヤシグナリング（例えば、ＲＲＣシグナリング、ブロードキャスト情報）、物理レイヤシグナリング（例えば、ＤＣＩ）又はこれらの組み合わせを用いて、基地局からＵＥに通知（設定）されてもよい。
【００６４】
なお、ロングＰＵＣＣＨ及び／又はショートＰＵＣＣＨの時間及び／又は周波数リソースに関する情報は、例えば、送信タイミング（スロットインデックスなど）、送信周期、シンボル数、シンボル長、リソースブロック数、ホッピングに関する情報（例えば、ホッピングの有無、ホッピングパターンを特定するインデックス）などの少なくとも１つであってもよい。
【００６５】
また、ロングＰＵＣＣＨ及びショートＰＵＣＣＨは、ＴＤＭされてもよいし、ＦＤＭされてもよいし、ＴＤＭ及びＦＤＭされてもよい。
【００６６】
同一スロットにおけるロングＰＵＣＣＨ及びショートＰＵＣＣＨの多重方法（例えば、ＴＤＭ及び／又はＦＤＭ）が、ＵＥに対して設定されてもよい。当該多重方法に関する情報は、上位レイヤシグナリング（例えば、ＲＲＣシグナリング、ブロードキャスト情報）、物理レイヤシグナリング（例えば、ＤＣＩ）又はこれらの組み合わせにより、通知（設定）されてもよい。
【００６７】
［ロングＰＵＣＣＨ及びショートＰＵＣＣＨをＴＤＭ］
ロングＰＵＣＣＨ及びショートＰＵＣＣＨをＴＤＭする（ＴＤＭすると設定された）場合、ＵＥは、基地局のスケジューリング（例えば、上述の時間及び／又は周波数リソースに関する情報によるタイミング指示）に従って、所定の時間において、ロングＰＵＣＣＨ及びショートＰＵＣＣＨのいずれか一方を送信する。これにより、ＰＵＣＣＨの電力を大きくできるため、カバレッジの確保が容易になる。基地局は、ロングＰＵＣＣＨ及びショートＰＵＣＣＨの時間及び周波数リソースが重複しないように制御することが好ましい。
【００６８】
図３Ａ−３Ｃは、ロングＰＵＣＣＨ及びショートＰＵＣＣＨをＴＤＭする場合のリソースマッピングの一例を示す図である。図３Ａ及び３Ｃは、１スロットが７ＯＳ（OFDM  Symbol）で構成されるＤＬセントリックスロットの例を示し、図３Ｂは、１スロットが１４ＯＳで構成されるＵＬオンリースロットの例を示す。なお、スロットのＯＳの数は、これらに限られない。
【００６９】
図３Ａ−３Ｃでは、ショートＰＵＣＣＨは、ロングＰＵＣＣＨ及びＰＵＳＣＨとＴＤＭされている。図３Ｂでは、スロットの先頭、中央及び末尾のそれぞれに２ＯＳ長のショートＰＵＣＣＨが位置し、それらの間に４ＯＳ長のロングＰＵＣＣＨ及びＰＵＳＣＨが位置するようにＴＤＭされている。このように、ショートＰＵＣＣＨ、ロングＰＵＣＣＨ及びＰＵＳＣＨなどは、１スロット内の複数の非連続的な領域で送信されてもよい。
【００７０】
図３Ａ及び３Ｂは、遷移時間（transient  time）が小さい（又は短い）場合に利用されてもよい。ここで、遷移時間は、遷移期間（transient  period）、波形無定義区間などと呼ばれてもよく、オフ時の要求電力からオン時の要求電力に切り替える（または、この逆）ための時間である。
【００７１】
遷移時間においては送信信号の品質が保証されない。このため、ＵＥは、遷移時間中における正しくない（又は所定の品質を満たさない）信号の送信及び／又は信号の無送信が許容される。つまり、遷移時間では波形の歪が許容される。遷移時間としては、１つ又は複数の期間が規定されてもよく、例えば、所定期間（例えば、２０μｓ、５μｓなど）が規定されてもよい。
【００７２】
ショートＰＵＣＣＨを適用する場合、スロット内で遷移時間が発生するため、ショートＰＵＣＣＨと他の信号（又はチャネル）間で干渉等が発生し、通信品質が劣化するおそれがある。このため、大きな（又は長い）遷移時間を利用する場合、図３Ｃに示すように、ショートＰＵＣＣＨの前（及び／又は後）に、当該大きな遷移時間の影響を低減するためのギャップ期間を設けることが好ましい。
【００７３】
図４Ａ−４Ｃは、ロングＰＵＣＣＨ及びショートＰＵＣＣＨをＴＤＭする場合のリソースマッピングの別の一例を示す図である。図４Ａ−４Ｃはそれぞれ、図３Ａ−３ＣにおいてショートＰＵＣＣＨの周波数リソースがロングＰＵＣＣＨと同じ周波数リソース（帯域幅）である例を示す。図４Ａ−４Ｃでは、ショートＰＵＣＣＨは、ロングＰＵＣＣＨとＴＤＭされ、ＰＵＳＣＨとＴＤＭ及びＦＤＭされている。
【００７４】
同一スロットにおいて、ロングＰＵＣＣＨのリソース（例えば、時間及び／又は周波数リソース）及びショートＰＵＣＣＨのリソースが重複する（重複するように設定される）場合がある。例えば、両リソースが時間的に重複する場合、周波数的に重複する場合などがある。この場合の制御について、図５を参照して説明する。
【００７５】
図５Ａ−５Ｃは、同一スロットにおいて、ロングＰＵＣＣＨ及びショートＰＵＣＣＨの送信タイミングが時間的に重複する場合のリソースマッピングの一例を示す図である。図５Ａ−５Ｃの左部分は、ショートＰＵＣＣＨのリソースを破線で示したものである。
【００７６】
同一スロットにおいて、ロングＰＵＣＣＨ及びショートＰＵＣＣＨの送信タイミングが時間的に重複する場合、ＵＥは、以下の（１）−（３）の少なくとも１つの制御を実施してもよい：（１）ロングＰＵＣＣＨをドロップ（図５Ａ）、（２）ショートＰＵＣＣＨをドロップ（図５Ｂ）、（３）重複シンボルにおいてロングＰＵＣＣＨをパンクチャ（図５Ｃ）。図５Ａ−５Ｃの右部分において、ドロップ又はパンクチャされたリソースが破線で示されている。
【００７７】
上記（１）の場合、ロングＰＵＣＣＨで伝送する予定だったＨＡＲＱ−ＡＣＫ及び／又はＳＲは、ショートＰＵＣＣＨで伝送（piggyback）されてもよい。ロングＰＵＣＣＨで伝送する予定だった他の（ＨＡＲＱ−ＡＣＫ及びＳＲ以外の）ＵＣＩタイプに該当するＵＣＩ（例えば、ＣＳＩ）は、一部又は全部がショートＰＵＣＣＨで伝送されてもよいし、所定の優先度に基づき、所定の情報がドロップされてもよい。
【００７８】
上記（２）の場合、ショートＰＵＣＣＨで伝送する予定だったＨＡＲＱ−ＡＣＫ及び／又はＳＲは、ロングＰＵＣＣＨで伝送されてもよい。ショートＰＵＣＣＨで伝送する予定だった他の（ＨＡＲＱ−ＡＣＫ及びＳＲ以外の）ＵＣＩタイプに該当するＵＣＩ（例えば、ＣＳＩ）は、一部又は全部がロングＰＵＣＣＨで伝送されてもよいし、所定の優先度に基づき、所定の情報がドロップされてもよい。
【００７９】
なお、所定の優先度に関する情報、ドロップ対象となる所定の情報に関する情報などは、上位レイヤシグナリングなどでＵＥに通知されてもよいし、仕様で予め定められてもよい。
【００８０】
上記（３）の場合、ロングＰＵＣＣＨのパンクチャされたリソースで伝送する予定だったＵＣＩは、ショートＰＵＣＣＨで伝送されてもよいし、伝送されなくてもよい。また、ロングＰＵＣＣＨのパンクチャされたリソース（シンボル）に関する情報が、ショートＰＵＣＣＨで伝送されてもよい。
【００８１】
［ロングＰＵＣＣＨ及びショートＰＵＣＣＨをＴＤＭ及びＦＤＭ］
ロングＰＵＣＣＨ及びショートＰＵＣＣＨをＴＤＭ及びＦＤＭする場合、ＵＥは、基地局のスケジューリングに従って、所定の時間において、ロングＰＵＣＣＨ及びショートＰＵＣＣＨの一方又は両方を送信する。基地局は、ロングＰＵＣＣＨ及びショートＰＵＣＣＨの時間及び周波数リソースが重複しないように制御することが好ましい。
【００８２】
図６Ａ及び６Ｂは、ロングＰＵＣＣＨ及びショートＰＵＣＣＨをＴＤＭ及びＦＤＭする場合のリソースマッピングの一例を示す図である。図６Ａ及び６Ｂは、ＤＬセントリックスロットの例を示す。図６Ａ及び６Ｂでは、ショートＰＵＣＣＨは、ロングＰＵＣＣＨとＴＤＭ及びＦＤＭされ、ＰＵＳＣＨとＴＤＭされている。図６Ｂに示すように、ショートＰＵＣＣＨ及びＰＵＳＣＨなどは、１スロット内の複数の非連続的な領域で送信されてもよい。
【００８３】
同一スロットにおいて、ロングＰＵＣＣＨ及びショートＰＵＣＣＨのリソース（例えば、時間及び／又は周波数リソース）が少なくとも一部重複する場合、ＵＥは、以下の（１）−（４）の少なくとも１つの制御を実施してもよい：（１）ロングＰＵＣＣＨをドロップ、（２）ショートＰＵＣＣＨをドロップ、（３）重複シンボルにおいてロングＰＵＣＣＨをパンクチャ、（４）重複シンボルにおいてショートＰＵＣＣＨをパンクチャ。
【００８４】
ドロップ及び／又はパンクチャされてしまうＰＵＣＣＨで送信されるＵＣＩについては、上記ＴＤＭの例で説明したように、ドロップ及び／又はパンクチャされないＰＵＣＣＨで送信されてもよい。
【００８５】
以上、説明したように、第１の実施形態によれば、ＵＥが、同一スロットにおけるロングＰＵＣＣＨ及びショートＰＵＣＣＨの多重を設定された場合であっても、ＰＵＣＣＨの送信を適切に実施できる。
【００８６】
＜第２の実施形態＞
第２の実施形態は、ＵＥが、同一スロットにおけるロングＰＵＣＣＨ及びショートＰＵＣＣＨの多重を設定されない場合に関する。
【００８７】
第２の実施形態では、ＵＥは、基地局のスケジューリング（例えば、上述の時間及び／又は周波数リソースに関する情報によるタイミング指示）に従って、１スロット内ではロングＰＵＣＣＨ及びショートＰＵＣＣＨのいずれか一方を送信する。
【００８８】
なお、仮に同一スロットにおいて、ロングＰＵＣＣＨ及びショートＰＵＣＣＨの送信タイミングが時間的に重複する（時間的に重複する設定が行われた）場合、ＵＥは、ロングＰＵＣＣＨをドロップしてもよいし、ショートＰＵＣＣＨをドロップしてもよい。
【００８９】
前者の場合、ロングＰＵＣＣＨで伝送する予定だったＨＡＲＱ−ＡＣＫ及び／又はＳＲは、ショートＰＵＣＣＨで伝送されてもよい。後者の場合、ショートＰＵＣＣＨで伝送する予定だったＨＡＲＱ−ＡＣＫ及び／又はＳＲは、ロングＰＵＣＣＨで伝送されてもよい。なお、他の（ＨＡＲＱ−ＡＣＫ及びＳＲ以外の）ＵＣＩタイプに該当するＵＣＩ（例えば、ＣＳＩ）は、ドロップされなかった方のＰＵＣＣＨで伝送されてもよいし、ドロップされてもよい。
【００９０】
以上、説明したように、第２の実施形態によれば、ＵＥが、同一スロットにおけるロングＰＵＣＣＨ及びショートＰＵＣＣＨの多重を設定されない場合であっても、ＰＵＣＣＨの送信を適切に実施できる。
【００９１】
＜第３の実施形態＞
第３の実施形態は、第１及び第２の実施形態で説明したような、同一スロットにおけるロングＰＵＣＣＨ及びショートＰＵＣＣＨの多重の有効／無効を適切に判断する方法に関する。
【００９２】
ＵＥは、同一スロットにおけるロングＰＵＣＣＨ及びショートＰＵＣＣＨの多重を行う能力の有無に関する能力情報（capability  information）を、基地局に送信してもよい。
【００９３】
例えば、ＵＥは、当該能力情報として、以下の少なくとも１つに関する情報を送信してもよい：（１）同一スロットにおけるロングＰＵＣＣＨ及びショートＰＵＣＣＨのＴＤＭをサポートすること、（２）同一スロットにおけるロングＰＵＣＣＨ及びショートＰＵＣＣＨのＦＤＭをサポートすること、（３）同一スロットにおけるロングＰＵＣＣＨ及びショートＰＵＣＣＨのＴＤＭ及びＦＤＭをサポートすること、（４）同一スロットにおけるロングＰＵＣＣＨ及びショートＰＵＣＣＨのＴＤＭをサポートしないこと。
【００９４】
なお、当該能力情報は、ＮＲ  ＰＵＣＣＨ及びＮＲ  ＰＵＳＣＨの多重を行う能力の有無に関する能力情報と共通（common）であってもよいし、別々（separated）であってもよい。共通の場合、ＰＵＣＣＨ及びＰＵＳＣＨの多重に関する能力情報を、同一スロットにおけるロングＰＵＣＣＨ及びショートＰＵＣＣＨの多重に関する能力情報とみなしてもよい（読み替えてもよい）。つまり、共通の場合は、ＵＥは、ＰＵＣＣＨ及びＰＵＳＣＨの多重に関する能力情報を送信すれば、同一スロットにおけるロングＰＵＣＣＨ及びショートＰＵＣＣＨの多重に関する能力情報を送信することに等しい。
【００９５】
ここで、ＰＵＣＣＨ及びＰＵＳＣＨの多重に関する能力情報は、例えば、ショートＰＵＣＣＨ及びＰＵＳＣＨのＴＤＭ及び／又はＦＤＭに関する能力情報であってもよいし、ロングＰＵＣＣＨ及びＰＵＳＣＨのＴＤＭ及び／又はＦＤＭに関する能力情報であってもよい。
【００９６】
基地局は、ＵＥから通知された上述の少なくとも１つの能力情報に基づいて、当該ＵＥに対して、同一スロットにおけるロングＰＵＣＣＨ及びショートＰＵＣＣＨの多重方法（例えば、ＴＤＭ及び／又はＦＤＭ）を設定する。当該多重方法に関する情報（設定情報と呼ばれてもよい）は、上位レイヤシグナリング（例えば、ＲＲＣシグナリング、ブロードキャスト情報）、物理レイヤシグナリング（例えば、ＤＣＩ）又はこれらの組み合わせにより、通知（設定）されてもよい。
【００９７】
ＵＥは、当該設定情報に基づいて、ショートＰＵＣＣＨ及びロングＰＵＣＣＨを１スロット内で多重するか否かを判断してもよい。この判断結果に従って、第１の実施形態の処理を実施するか、第２の実施形態の処理を実施するかを決定できる。
【００９８】
以上、説明したように、第３の実施形態によれば、ＵＥが、同一スロットにおけるロングＰＵＣＣＨ及びショートＰＵＣＣＨの多重の可否について、適切に判断できる。
【００９９】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１００】
図７は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０１】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１０２】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示すものに限られない。
【０１０３】
ユーザ端末２０は、無線基地局１１及び無線基地局１２の双方に接続することができる。ユーザ端末２０は、マクロセルＣ１及びスモールセルＣ２を、ＣＡ又はＤＣにより同時に使用することが想定される。また、ユーザ端末２０は、複数のセル（ＣＣ）（例えば、５個以下のＣＣ、６個以上のＣＣ）を用いてＣＡ又はＤＣを適用してもよい。
【０１０４】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１０５】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１０６】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１０７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１０８】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１０９】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１０】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１１１】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１２】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨにより、ユーザデータ、上位レイヤ制御情報、ＳＩＢ（System  Information  Block）などが伝送される。また、ＰＢＣＨにより、ＭＩＢ（Master  Information  Block）が伝送される。
【０１１３】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及び／又はＰＵＳＣＨのスケジューリング情報を含む下り制御情報（ＤＣＩ：Downlink  Control  Information）などが伝送される。
【０１１４】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１１５】
ＰＣＦＩＣＨにより、ＰＤＣＣＨに用いるＯＦＤＭシンボル数が伝送される。ＰＨＩＣＨにより、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１１６】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報などが伝送される。また、ＰＵＣＣＨにより、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨにより、セルとの接続確立のためのランダムアクセスプリアンブルが伝送される。
【０１１７】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１１８】
（無線基地局）
図８は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１１９】
下りリンクにより無線基地局１０からユーザ端末２０に送信されるユーザデータは、上位局装置３０から伝送路インターフェース１０６を介してベースバンド信号処理部１０４に入力される。
【０１２０】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１２１】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２２】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１２３】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１２４】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１２５】
送受信部１０３は、複数の異なる長さのＴＴＩ（ＴＴＩ長）を用いて信号を送信及び／又は受信してもよい。例えば、送受信部１０３は、１つ又は複数のキャリア（セル、ＣＣ）において、第１のＴＴＩ（例えば、ロングＴＴＩ）及び当該第１のＴＴＩよりＴＴＩ長が短い第２のＴＴＩ（例えば、ショートＴＴＩ）を用いて、信号の受信を行ってもよい。
【０１２６】
例えば、送受信部１０３は、ユーザ端末２０から、所定の期間（例えば、１スロット）内で多重（例えば、ＴＤＭ及び／又はＦＤＭ）して送信されたショートＰＵＣＣＨ及びロングＰＵＣＣＨを受信してもよい。
【０１２７】
また、送受信部１０３は、ロングＰＵＣＣＨ及び／又はショートＰＵＣＣＨで送信可能なＵＣＩタイプに関する情報、ロングＰＵＣＣＨ及び／又はショートＰＵＣＣＨの時間及び／又は周波数リソースに関する情報、同一スロットにおけるロングＰＵＣＣＨ及びショートＰＵＣＣＨの多重方法に関する情報（設定情報）の少なくとも１つを、ユーザ端末２０に対して送信してもよい。
【０１２８】
送受信部１０３は、ショートＰＵＣＣＨ及びロングＰＵＣＣＨを上記所定の期間内で多重する能力に関する能力情報を、ユーザ端末２０から受信してもよい。
【０１２９】
図９は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有しているものとする。
【０１３０】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１３１】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１３２】
制御部３０１は、例えば、送信信号生成部３０２による信号の生成、マッピング部３０３による信号の割り当てなどを制御する。また、制御部３０１は、受信信号処理部３０４による信号の受信処理、測定部３０５による信号の測定などを制御する。
【０１３３】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１３４】
また、制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１３５】
制御部３０１は、第１のＴＴＩ（例えば、ロングＴＴＩ、サブフレーム、スロットなど）と、第１のＴＴＩよりＴＴＩ長が短い第２のＴＴＩ（例えば、ショートＴＴＩ、ｓＴＴＩ、ミニスロットなど）と、を用いた１つ又は複数のＣＣにおける信号の送信及び／又は受信を制御する。
【０１３６】
例えば、制御部３０１は、所定のユーザ端末２０に対して、時間長の短いショート上り制御チャネル（ショートＰＵＣＣＨ）と、当該ショート上り制御チャネルより時間長の長いロング上り制御チャネル（ロングＰＵＣＣＨ）と、を所定の期間内で多重するか否かを判断（制御）してもよい。制御部３０１は、所定のユーザ端末２０に対して、同一スロットにおけるロングＰＵＣＣＨ及びショートＰＵＣＣＨの多重方法に関する情報（設定情報）を送信する制御を行ってもよい。
【０１３７】
制御部３０１は、当該判断を、受信信号処理部３０４から取得した当該所定のユーザ端末２０の能力情報に基づいて行ってもよい。当該能力情報は、ショートＰＵＣＣＨ及びロングＰＵＣＣＨを上記所定の期間内で多重する能力に関する情報であってもよい。
【０１３８】
また、当該所定の期間は、１つ又は複数のＴＴＩであってもよく、例えば、１つ又は複数のスロット、１つ又は複数のミニスロットなどであってもよい。
【０１３９】
制御部３０１は、所定のユーザ端末２０について、ショートＰＵＣＣＨ及び／又はロングＰＵＣＣＨのＰＵＣＣＨリソースを判断し、当該ユーザ端末２０に当該ＰＵＣＣＨリソースを設定するための情報を送信する制御を行ってもよい。
【０１４０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１４１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１４２】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１４３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１４４】
受信信号処理部３０４は、受信処理により復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１４５】
測定部３０５は、受信した信号に関する測定を実施する。測定部３０５は、本発明に係る技術分野での共通認識に基づいて説明される測定器、測定回路又は測定装置から構成することができる。
【０１４６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１４７】
（ユーザ端末）
図１０は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１４８】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１４９】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１５０】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１５１】
送受信部２０３は、複数の異なる長さのＴＴＩ（ＴＴＩ長）を用いて信号を送信及び／又は受信してもよい。例えば、送受信部２０３は、１つ又は複数のキャリア（セル、ＣＣ）において、第１のＴＴＩ（例えば、ロングＴＴＩ）及び当該第１のＴＴＩよりＴＴＩ長が短い第２のＴＴＩ（例えば、ショートＴＴＩ）を用いて、信号の送信を行ってもよい。
【０１５２】
例えば、送受信部２０３は、ショートＰＵＣＣＨ及びロングＰＵＣＣＨを所定の期間（例えば、１スロット）内で多重（例えば、ＴＤＭ及び／又はＦＤＭ）して無線基地局１０に送信してもよい。
【０１５３】
また、送受信部２０３は、ロングＰＵＣＣＨ及び／又はショートＰＵＣＣＨで送信可能なＵＣＩタイプに関する情報、ロングＰＵＣＣＨ及び／又はショートＰＵＣＣＨの時間及び／又は周波数リソースに関する情報、同一スロットにおけるロングＰＵＣＣＨ及びショートＰＵＣＣＨの多重方法に関する情報（設定情報）の少なくとも１つを、無線基地局１０から受信してもよい。
【０１５４】
送受信部２０３は、ショートＰＵＣＣＨ及びロングＰＵＣＣＨを上記所定の期間内で多重する能力に関する能力情報を、無線基地局１０に対して送信してもよい。
【０１５５】
図１１は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有しているものとする。
【０１５６】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５７】
制御部４０１は、ユーザ端末２０全体の制御を実施する。制御部４０１は、本発明に係る技術分野での共通認識に基づいて説明されるコントローラ、制御回路又は制御装置から構成することができる。
【０１５８】
制御部４０１は、例えば、送信信号生成部４０２による信号の生成、マッピング部４０３による信号の割り当てなどを制御する。また、制御部４０１は、受信信号処理部４０４による信号の受信処理、測定部４０５による信号の測定などを制御する。
【０１５９】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１６０】
制御部４０１は、第１のＴＴＩ（例えば、ロングＴＴＩ、サブフレーム、スロットなど）と、第１のＴＴＩよりＴＴＩ長が短い第２のＴＴＩ（例えば、ショートＴＴＩ、ｓＴＴＩ、ミニスロットなど）と、を用いた１つ又は複数のＣＣにおける信号の送信及び／又は受信を制御する。
【０１６１】
例えば、制御部４０１は、時間長の短いショート上り制御チャネル（ショートＰＵＣＣＨ）と、当該ショート上り制御チャネルより時間長の長いロング上り制御チャネル（ロングＰＵＣＣＨ）と、を所定の期間内で多重するか否かを判断してもよい。
【０１６２】
制御部４０１は、当該判断を、受信信号処理部４０４から取得した設定情報に基づいて行ってもよい。また、当該所定の期間は、１つ又は複数のＴＴＩであってもよく、例えば、１つ又は複数のスロット、１つ又は複数のミニスロットなどであってもよい。
【０１６３】
制御部４０１は、上記設定情報に基づいて、ショートＰＵＣＣＨ及びロングＰＵＣＣＨを上記所定の期間内で多重すると判断した場合、当該ショートＰＵＣＣＨ及び当該ロングＰＵＣＣＨにおいて、それぞれ異なるＵＣＩタイプに該当するＵＣＩを送信する制御を行ってもよい。
【０１６４】
制御部４０１は、上記設定情報に基づいて、ショートＰＵＣＣＨ及びロングＰＵＣＣＨを上記所定の期間内で多重すると判断した場合、かつ、当該ショートＰＵＣＣＨのリソース及び当該ロングＰＵＣＣＨのリソースが少なくとも一部重複する場合、これらのＰＵＣＣＨのうちいずれかのＰＵＣＣＨをドロップする又はいずれかのＰＵＣＣＨの重複するリソースをパンクチャする制御を行ってもよい。
【０１６５】
制御部４０１は、上記設定情報に基づいて、ショートＰＵＣＣＨ及びロングＰＵＣＣＨを上記所定の期間内で多重しないと判断した場合、かつ、当該ショートＰＵＣＣＨ及び当該ロングＰＵＣＣＨを上記所定の期間内で送信するように設定される場合、これらのＰＵＣＣＨのうちいずれかのＰＵＣＣＨをドロップする制御を行ってもよい。
【０１６６】
制御部４０１は、ショートＰＵＣＣＨ及びロングＰＵＣＣＨを上記所定の期間内で多重する能力に関する能力情報（例えば、能力の有無に関する能力情報）を送信する制御を行ってもよい。この場合、上記判断に用いる設定情報は、例えば無線基地局１０によって当該能力情報に基づいて決定されてもよい。
【０１６７】
制御部４０１は、ショートＰＵＣＣＨ及び／又はロングＰＵＣＣＨで送信するＵＣＩの生成及び／又はマッピングを制御してもよい。制御部４０１は、例えば、ショートＰＵＣＣＨ及びロングＰＵＣＣＨで同じＵＣＩタイプに該当するＵＣＩを送信する制御を行ってもよいし、互いに異なる（別々の）ＵＣＩタイプに該当するＵＣＩを送信する制御を行ってもよい。制御部４０１は、ショートＰＵＣＣＨ及び／又はロングＰＵＣＣＨのＰＵＣＣＨリソースを判断してもよい。
【０１６８】
また、制御部４０１は、無線基地局１０から通知された各種情報を受信信号処理部４０４から取得した場合、当該情報に基づいて制御に用いるパラメータを更新してもよい。
【０１６９】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１７０】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１７１】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１７２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１７３】
受信信号処理部４０４は、受信処理により復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１７４】
測定部４０５は、受信した信号に関する測定を実施する。測定部４０５は、本発明に係る技術分野での共通認識に基づいて説明される測定器、測定回路又は測定装置から構成することができる。
【０１７５】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１７６】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１７７】
例えば、本発明の一実施形態における無線基地局、ユーザ端末などは、本発明の無線通信方法の処理を行うコンピュータとして機能してもよい。図１２は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７８】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７９】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１８０】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信を制御したり、メモリ１００２及びストレージ１００３におけるデータの読み出し及び／又は書き込みを制御したりすることで実現される。
【０１８１】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１８２】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１８３】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１８４】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１８５】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０１８６】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８７】
また、プロセッサ１００１、メモリ１００２などの各装置は、情報を通信するためのバス１００７で接続される。バス１００７は、単一のバスで構成されてもよいし、装置間で異なるバスで構成されてもよい。
【０１８８】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１８９】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、キャリア、キャリア周波数、サイト、ビームなどと呼ばれてもよい。
【０１９０】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０１９１】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において１つ又は複数のシンボルで構成されてもよい。また、ミニスロットは、サブスロットと呼ばれてもよい。
【０１９２】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９３】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９４】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１９５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１９７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９９】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０２００】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２０１】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０２０２】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０２０３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０４】
また、情報、信号などは、上位レイヤから下位レイヤ、及び／又は下位レイヤから上位レイヤへ出力され得る。情報、信号などは、複数のネットワークノードを介して入出力されてもよい。
【０２０５】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２０６】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０７】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２０８】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２０９】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２１２】
本明細書で使用する「システム」及び「ネットワーク」という用語は、互換的に使用される。
【０２１３】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２１４】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２１５】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２１６】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１７】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２１８】
同様に、本明細書におけるユーザ端末は、無線基地局で読み替えてもよい。この場合、上述のユーザ端末２０が有する機能を無線基地局１０が有する構成としてもよい。
【０２１９】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２２０】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２２１】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２２２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２３】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２２４】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２５】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【０２２６】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２２７】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2018173235.tif 000003
【図２】
2018173235.tif 000004
【図３】
2018173235.tif 000005
【図４】
2018173235.tif 000006
【図５】
2018173235.tif 000007
【図６】
2018173235.tif 000008
【図７】
2018173235.tif 000009
【図８】
2018173235.tif 000010
【図９】
2018173235.tif 000011
【図１０】
2018173235.tif 000012
【図１１】
2018173235.tif 000013
【図１２】
2018173235.tif 000014
【国際調査報告】
2018173235.tif 000015
2018173235.tif 000016
2018173235.tif 000017
2018173235.tif 000018